(57)【特許請求の範囲】
【請求項１】
施設内の空調機に対して電力抑制制御を行う空調機の電力抑制システムにおいて、
電力抑制を要求する要求信号を出力する電力抑制要求器と、
前記電力抑制要求器からの要求信号に応じ、前記施設内の空調機に対して電力抑制制御を行う電力抑制制御器とを備え、
前記電力抑制制御器は、
前記施設内の空調機の識別情報を抽出する情報抽出部と、
前記情報抽出部により抽出された前記施設内の空調機の識別情報を外部記憶媒体に書込む情報書込み部と、
前記電力抑制制御器とネットワーク接続されていない外部の端末に前記外部記憶媒体が直接接続され当該外部記憶媒体に記憶されたソフトウェアを用いて前記外部の端末により設定された前記空調機ごとの電力抑制値を示す情報のうち、前記要求信号に応じた電力抑制対象の空調機における電力抑制値を示す情報を、前記電力抑制制御器に直接接続された前記外部記憶媒体から、電力抑制対象の空調機に関する設定情報として読出す情報読出し部と、
前記電力抑制要求器からの要求信号に応じ、前記情報読出し部により読出された電力抑制対象の空調機に関する設定情報に基づいて、当該空調機に対して電力抑制値を示す信号を出力することで電力抑制制御を行う電力抑制制御部とを備えた
ことを特徴とする空調機の電力抑制システム。
【請求項２】
前記施設内の空調機の識別情報、当該空調機が電力抑制対象であるかを示す情報、及び当該電力抑制対象の空調機における前記要求信号に対する電力抑制値を示す情報が記憶される外部記憶媒体を備えたことを特徴とする請求項１記載の電力抑制システム。
【請求項３】
前記電力抑制要求器は、前記施設内の消費電力に基づいて前記要求信号を出力するデマンドコントローラである
ことを特徴とする請求項１または請求項２記載の空調機の電力抑制システム。
【請求項４】
前記電力抑制要求器は、前記要求信号を出力する手動スイッチである
ことを特徴とする請求項１または請求項２記載の空調機の電力抑制システム。
【請求項５】
前記外部記憶媒体に記憶される情報の設定および表示の少なくとも一方を行う前記外部の端末はパソコンである
ことを特徴とする請求項１から請求項４のうちのいずれか１項記載の空調機の電力抑制システム。
【発明の詳細な説明】
【技術分野】
【０００１】
この発明は、施設内の空調機に対して電力抑制制御を行う空調機の電力抑制システムに関するものである。
【背景技術】
【０００２】
従来の空調機の電力抑制システムでは、空調制御器を用いて、空調制御及び電力デマンド制御を実施している（例えば特許文献１参照）。また、この特許文献１に開示された空調制御器による電力デマンド制御では、空調機システムの構成情報を基に、電力抑制制御対象の空調機とその電力抑制値等を設定し、制御を行っている。
【先行技術文献】
【特許文献】
【０００３】
【特許文献１】特開２００１−１０８２７７号公報
【発明の概要】
【発明が解決しようとする課題】
【０００４】
しかしながら、特許文献１に開示される従来の空調機の電力抑制システムでは、高機能な空調制御器を備える必要がある。すなわち、空調制御器では、空調制御や電力デマンド制御における各種設定操作を行う必要があり、複雑な情報表示と設定操作を行うための高度な操作・表示機能と、そのための演算・記憶機能を備える必要がある。よって、システム構成のコストが増大するという課題があった。
【０００５】
この発明は、上記のような課題を解決するためになされたもので、安価にシステムを構成することができる空調機の電力抑制システムを提供することを目的としている。
【課題を解決するための手段】
【０００６】
この発明に係る空調機の電力抑制システムは、電力抑制を要求する要求信号を出力する電力抑制要求器と、電力抑制要求器からの要求信号に応じ、施設内の空調機に対して電力抑制制御を行う電力抑制制御器とを備え、電力抑制制御器は、施設内の空調機の識別情報を抽出する情報抽出部と、情報抽出部により抽出された施設内の空調機の識別情報を外部記憶媒体に書込む情報書込み部と、電力抑制制御器とネットワーク接続されていない外部の端末に外部記憶媒体が直接接続され当該外部記憶媒体に記憶されたソフトウェアを用いて外部の端末により設定された空調機ごとの電力抑制値を示す情報のうち、要求信号に応じた電力抑制対象の空調機における電力抑制値を示す情報を、電力抑制制御器に直接接続された外部記憶媒体から、電力抑制対象の空調機に関する設定情報を読出す情報読出し部と、要求信号に応じ、情報読出し部により読出された電力抑制対象の空調機に関する設定情報に基づいて、当該空調機に対して電力抑制値を示す信号を出力することで電力抑制制御を行う電力抑制制御部とを備えたものである。
【発明の効果】
【０００７】
この発明によれば、上記のように構成したので、安価にシステムを構成することができる。
【図面の簡単な説明】
【０００８】
【図１】この発明の実施の形態１に係る空調機の電力抑制システムの構成を示す図である。
【図２】この発明の実施の形態１における設定画面の例を示す図である。
【図３】この発明の実施の形態２に係る空調機の電力抑制システムの構成を示す図である。
【発明を実施するための形態】
【０００９】
以下、この発明の実施の形態について図面を参照しながら詳細に説明する。
実施の形態１．
図１はこの発明の実施の形態１に係る空調機の電力抑制システムの構成を示す図である。
空調機の電力抑制システムは、施設内の空調機に対して電力抑制制御を行うものである。ここで、空調機は、例えば図１に示すように、１台以上の室外機１と、当該室外機１に対して１つの冷房系統で接続された１台以上の室内機２から構成されている。また、室外機１と室内機２との間、又は室外機１同士は、制御通信の媒体となる伝送線により接続されている。なお、本発明では、従来のような空調制御器による空調制御を不要としている。
この空調機の電力抑制システムは、図１に示すように、デマンドコントローラ（電力抑制要求器）３、外部記憶媒体４、電力抑制制御器５及びパソコン６から構成されている。
【００１０】
デマンドコントローラ３は、施設内の消費電力が所定値以下となるよう、電力抑制を要求する要求信号を出力するものである。この際、デマンドコントローラ３は、施設内の消費電力の逼迫度合いに応じて、最大４段階の要求信号（Ｌｖ１〜Ｌｖ４）を切替えて出力する。
【００１１】
外部記憶媒体４は、施設内の空調機に対する電力抑制制御に関する設定情報を記憶するものである。ここで、設定情報には、例えば、空調機の識別情報（室外機１のアドレス）、空調機が電力抑制対象であるかを示す情報、及び電力抑制対象の空調機における要求信号に対する電力抑制値を示す情報が含まれている。
【００１２】
電力抑制制御器５は、デマンドコントローラ３からの要求信号に応じ、施設内の空調機に対して電力抑制制御を行うものである。この電力抑制制御器５は、情報抽出部５１、情報書込み部５２、情報読出し部５３及び電力抑制制御部５４から構成されている。
【００１３】
情報抽出部５１は、伝送線を介して空調機と通信を行うことで、施設内の空調機の識別情報を抽出するものである。
情報書込み部５２は、情報抽出部５１により抽出された施設内の空調機の識別情報を外部記憶媒体４に書込むものである。
情報読出し部５３は、外部記憶媒体４から電力抑制対象の空調機に関する設定情報を読出すものである。
電力抑制制御部５４は、デマンドコントローラ３からの要求信号に応じ、情報読出し部５３により読出された電力抑制対象の空調機に関する設定情報に基づいて、当該空調機（室外機１）に対して電力抑制値を示す信号を出力することで電力抑制制御を行うものである。
【００１４】
パソコン６は、外部記憶媒体４に記憶される情報を表示・設定するものである。このパソコン６は、表示部６１、設定部６２及び情報書込み部６３から構成されている。なお、これらの各機能部は予め外部記憶媒体４に記憶されたソフトウエアにより実現される。
【００１５】
表示部６１は、施設の空調機に対する電力抑制制御に関する設定情報を設定するための設定画面を表示するものである。
設定部６２は、表示部６１により表示された設定画面に対するユーザ操作に基づいて、設定情報を設定するものである。
情報書込み部６３は、設定部６２により設定された設定情報を外部記憶媒体４に書込むものである。
【００１６】
次に、上記のように構成された空調機の電力抑制システムの動作について説明する。まず、設定情報の設定動作について説明する。
設定情報の設定動作では、まず、外部記憶媒体４を電力抑制制御器５に接続した後、電力抑制制御器５の情報抽出部５１は、伝送線を介して空調機と通信を行うことで、施設内の空調機の識別情報（室外機１のアドレス）を抽出する。
次いで、情報書込み部５２は、情報抽出部５１により抽出された施設内の空調機の識別情報を外部記憶媒体４に書込む。これにより、外部記憶媒体４に、施設内に設置された空調機の識別情報が記憶される。
【００１７】
次いで、外部記憶媒体４をパソコン６に接続した後、パソコン６の表示部６１は、施設の空調機に対する電力抑制制御に関する設定情報を設定するための設定画面を表示する。この際、表示部６１は、例えば図２に示すような設定画面を表示する。この設定画面には、空調機の識別情報（室外機１のアドレス）、空調機が電力抑制対象であるかを示す情報（対象／非対象）、及び電力抑制対象の空調機における要求信号に対する電力抑制値を示す情報（％）を設定するための項目が含まれている。
【００１８】
次いで、設定部６２は、表示部６１により表示された設定画面に対するユーザ操作に基づいて、設定情報を設定する。この際、ユーザは、図２に示す設定画面において、まず、電力抑制対象の空調機の識別情報（室外機１のアドレス）が示されたチェックボックスにチェックを入れることで、当該空調機を電力抑制対象として設定する。そして、チェックボックスにチェックを入れると、電力抑制値を設定するための項目に初期値（例えば、Ｌｖ１：８０％、Ｌｖ２：７０％、Ｌｖ３：６０％、Ｌｖ４：０％、）が設定される。次に、電力抑制対象の空調機における要求信号（Ｌｖ１〜Ｌｖ４）に対する電力抑制値を任意に設定する。
【００１９】
次いで、情報書込み部６３は、設定部６２により設定された設定情報を外部記憶媒体４に書込む。これにより、空調機の電力抑制制御に関する設定情報を設定することができ、外部記憶媒体４に記憶させることができる。
【００２０】
次に、上記のようにして設定情報が書込まれた外部記憶媒体４を用いて、空調機の電力抑制制御を行う場合の動作について説明する。
空調機の電力抑制制御動作では、まず、外部記憶媒体４を電力抑制制御器５に接続した後、デマンドコントローラ３は、施設内の消費電力が所定値以下となるよう、電力抑制を要求する要求信号を出力する。この際、デマンドコントローラ３は、施設内の消費電力の逼迫度合いに応じて、最大４段階の要求信号（Ｌｖ１〜Ｌｖ４）を切替えて出力する。
【００２１】
次いで、電力抑制制御器５の情報読出し部５３は、外部記憶媒体４から電力抑制対象の空調機に関する設定情報を読出す。
次いで、電力抑制制御部５４は、デマンドコントローラ３からの要求信号に応じ、情報読出し部５３により読出された電力抑制対象の空調機に関する設定情報に基づいて、当該空調機（室外機１）に対して電力抑制値を示す信号を出力することで電力抑制制御を行う。
その後、電力抑制対象の室外機１は、電力抑制制御器５からの電力抑制値を示す信号に応じて、電力抑制を行う。
【００２２】
以上のように、この実施の形態１によれば、空調機の電力抑制制御に関する設定情報の設定を外部記憶媒体４を介してパソコン６から行うように構成し、また、空調制御を不要としたので、従来の高機能な空調制御器を用いた構成に対して安価にシステムを構成することができる。
また、従来構成では、高機能な空調制御器により各種設定を行うが、その際タッチパネルを用いており、操作性に課題があった。それに対して、本発明では、パソコン６を用いて設定情報の表示や設定を行うため、操作性を向上させることができる。
また、パソコン６を用いることで、設定情報の表示や設定を遠隔地で行うことができる。また、現地にて空調機システムの構成（空調機の識別情報）を抽出することができれば、その他の設定情報については遠隔地で設定することができるため、クラウドサービスなどを適用することもできる。
【００２３】
実施の形態２．
図３はこの発明の実施の形態２に係る空調機の電力抑制システムの構成を示す図である。図３に示す実施の形態２に係る空調機の電力抑制システムは、図１に示す実施の形態１に係る空調機の電力抑制システムのデマンドコントローラ３を手動スイッチ（電力抑制要求器）７に変更したものである。その他の構成は同様であり、同一の符号を付して異なる部分についてのみ説明を行う。
【００２４】
手動スイッチ７は、ユーザによるスイッチの切替え動作に応じて、電力抑制を要求する要求信号を出力するものである。この際、手動スイッチ７は、最大４段階の要求信号（Ｌｖ１〜Ｌｖ４）を切替えて出力する。
【００２５】
以上のように、この実施の形態２によれば、デマンドコントローラ３に代えて手動スイッチ７を用いることで、実施の形態１における効果に加え、デマンドコントローラ３自体のコスト及びデマンドコントローラ３の配線工事費を削減することができるため、より安価にシステムを構成することができる。
【００２６】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２７】
１  室外機、２  室内機、３  デマンドコントローラ（電力抑制要求器）、４  外部記憶媒体、５  電力抑制制御器、６  パソコン、７  手動スイッチ（電力抑制要求器）、５１  情報抽出部、５２  情報書込み部、５３  情報読出し部、５４  電力抑制制御部、６１  表示部、６２  設定部、６３  情報書込み部。
【図１】
0006053662.tif 000002
【図２】
0006053662.tif 000003
【図３】
0006053662.tif 000004